(57)【要約】【課題】小型で省スペースの媒体処理装置を提供する。【解決手段】通帳１２が受け入れられる挿入口１４を有する装置本体１３に通帳１２に対して磁気ストライプ１９のリード・ライトを施す磁気ストライプリード・ライト部１６の近傍に通帳１２を移動させる搬送ローラ１５ａ、１５ｂを備え、磁気ストライプリード・ライト部１６を固定し、通帳１２を移動させながら磁気ストライプ１９のリード・ライトを行う媒体処理装置１１を前提とする。搬送方向の通帳１２の全長より挿入口１４から磁気ストライプリード・ライト部１６との間隔を短く設定した。【選択図】      図１
2006163594.tif 000002
【特許請求の範囲】
【請求項１】
媒体が受け入れられる挿入口を有する装置本体と、この装置本体に前記媒体に対して磁気処理を施す磁気処理手段とを備え、前記磁気処理手段で前記媒体の磁気処理を行う媒体処理装置において、前記媒体の全長より前記挿入口から前記磁気処理手段の間隔を短く設定したことを特徴とする媒体処理装置。
【請求項２】
媒体が受け入れられる挿入口を有する装置本体と、この装置本体に前記媒体に対して磁気処理を施す磁気処理手段と、この磁気処理手段の近傍に前記媒体を搬送させる搬送手段とを備え、前記磁気処理手段を固定し、前記媒体を移動させながら磁気処理を行う媒体処理装置において、搬送方向の前記媒体の全長より前記挿入口から前記磁気処理手段の間隔を短く設定したことを特徴とする媒体処理装置。
【請求項３】
前記挿入口と連通する位置の前記装置本体に、媒体供給手段を取り付け可能にした
ことを特徴とする請求項１または請求項２に記載の媒体処理装置。
【請求項４】
前記媒体供給手段に前記媒体が移動する退避空間部を設けたことを特徴とする請求項３に記載の媒体処理装置。
【発明の詳細な説明】
【技術分野】
【０００１】
本発明は、金融機関で取り扱う通帳等の媒体に有する磁気データの処理を行う媒体処理装置に関するものである。
【背景技術】
【０００２】
従来、郵便局や銀行等の金融機関に設置され磁気ストライプを有する通帳等の媒体を処理する媒体処理装置は、窓口付近の局員・行員の処理が可能な場所、例えば、窓口カウンタの上や、カウンタ付近の台の上に設置される。また、利用者対面処理と後方一括処理を兼用する場合も窓口付近に置かれることが多い。このために小型かつ占有面積の小さな媒体処理装置が要望されている。
【０００３】
また、積立集金票の後処理で一括処理することがある。この後処理の場合には連続処理するためにホッパが装着されている。（例えば、特許文献１参照）。
【特許文献１】特開平９−１９４１０９号公報
【発明の開示】
【発明が解決しようとする課題】
【０００４】
しかし、上述した媒体処理装置は、装置本体内で媒体の磁気ストライプに記録されている磁気データを磁気ヘッドで読み取り又は書き込む処理を行う構成になっている。このために、装置本体が大型かつ占有面積が大きくなるという問題がある。
【０００５】
また、ホッパを装置本体に取り付けた場合には、さらに設置場所が大きくなるという問題がある。
【０００６】
そこで、本発明の目的は、上述した課題を解決し、小型で省スペースの媒体処理装置を提供することにある。
【課題を解決するための手段】
【０００７】
本発明に係る媒体処理装置は前記課題を解決したものであって、次のようなものである、すなわち、媒体が受け入れられる挿入口を有する装置本体と、この装置本体に前記媒体に対して磁気処理を施す磁気処理手段とを備え、前記磁気処理手段で前記媒体の磁気処理を行う媒体処理装置において、前記媒体の全長より前記挿入口から前記磁気処理手段を短い間隔に設定したことを特徴とする。また磁気処理手段は固定され、媒体を搬送させ磁気ストライプの磁気処理を施すようになっている。
【発明の効果】
【０００８】
本発明によれば、小型で設置面積の少ない媒体処理装置を実現できる。
【発明を実施するための最良の形態】
【０００９】
以下、本発明の実施の形態について図面を参照して説明する。
【００１０】
（第１実施の形態）
図１は本発明の一実施の形態に係る媒体処理装置１１の概略側断面図である。同図に示すように、この媒体処理装置１１は、媒体としての通帳１２の磁気ストライプの処理を行う。媒体処理装置１１は、装置本体１３に設けられ利用者からの通帳１２の投入を受け入れる挿入口１４と、この挿入口１４より挿入された通帳１２の自動取り込みを行う搬送手段として機能する挿入口１４に最も近い一対の搬送ローラ１５ａ，１５ｂと、通帳１２の磁気ストライプに対してデータをリード・ライトする磁気処理手段として機能する磁気ストライプリード・ライト部１６と、通帳１２全体のイメージを読み込むＯＣＲスキャナ１７と、通帳１２への印字を行う印字部１８と、搬送路に配設された多数の搬送ローラ１５ｃから１５ｈとを備えている。
【００１１】
図１に示すように、装置本体１３内に設置された磁気ストライプリード・ライト部１６と挿入口１４との間隔をＬ１と定義する。
【００１２】
図２に本実施の形態に係る媒体処理装置１１で処理可能な媒体としての通帳１２の一例を示す。同図に示すように通帳１２の表裏面の搬送方向の先端側に磁気ストライプ１９が設けられている。この通帳１２の搬送方向の全長をＬ２と定義する。
【００１３】
本実施の形態では、磁気ストライプリード・ライト部１６と挿入口１４との間隔Ｌ１と通帳１２の搬送方向の全長をＬ２との関係を、Ｌ１＜Ｌ２と設定している。すなわち、磁気ストライプリード・ライト部１６と挿入口１４との間隔Ｌ１を通帳１２の搬送方向の全長をＬ２よりも短く設定している。
【００１４】
図３は、媒体処理装置１１の制御機構の構成を示すブロック図である。制御部２０は、媒体処理装置１１の全体の制御を行うものである。すなわち、制御部２０には、各種の搬送モータ２１等を駆動するためのモータドライバ回路２２、媒体搬走路上に配設された光学センサ２３の駆動を行うセンサドライバ回路２４、印字部１８の印字ヘッド２５を駆動する印字ドライバ回路２６、ＯＣＲスキャナ１７、そして磁気ストライプリード・ライト部１６の磁気ヘッド２７を駆動する磁気ヘッドドライバ回路２８および第２実施の形態において構成される媒体供給手段として機能するホッパ２９を駆動するホッパドライブ回路３０などが制御対象として接続されている。
【００１５】
次に、この実施の形態の帳票処理装置１１による通帳１２による処理の流れを説明する。利用者によって挿入口１４より通帳１２が挿入されると、搬送ローラ１５ａ，１５ｂが駆動され、通帳１２は装置本体１３内部へ自動で取り込まれる。取り込まれた通帳１２は、磁気ストライプリード・ライト部１６による通帳１２の先端側の磁気ストライプ１９の読み込みが行われる。このとき、通帳１２の後端側は装置本体１３の外部に突出している。さらに、搬送されＯＣＲスキャナ１７による通帳１２の見開き面全体のイメージの読み込みが行われる。
【００１６】
通帳１２の磁気ストライプ１９から正常に情報を読み取ることができたなら、その読み取った顧客の口座、最終取引日、口座残額、そして新たに取引内容を記帳すべきページ番号などの情報に基づいて処理が行われる。
【００１７】
また、制御部２０は、通帳１２の見開き面のイメージから先頭空白行を検出し、この検出した先頭空白行に印字部１８による取引結果の記帳を実行させる。記帳後、通帳１２は磁気ストライプリード・ライト部１６によるリード・ライト位置に戻され、ここで磁気ストライプ１９の情報が最新内容に書き換えられる。この書き換え動作においても通帳１２の後端側は装置本体１３の外部に突出した状態で処理される。通帳１２を書き換えた後、挿入口１４へ返却される。
【００１８】
このように、通帳１２の磁気ストタイプリード・ライト中に、通帳１２の後端側を装置本体１３から外部に突出した状態で行える構成にした。これにより、媒体処理装置１１の磁気ストライプリード・ライト部１６と挿入口１４との間隔Ｌ１を通帳１２の搬送方向の全長Ｌ２より短く設定したことにより設置スペースが有効に使えることが可能になった。
【００１９】
（第２実施の形態）
図４は、図１の媒体処理装置１１に媒体供給手段を取り付けた概略側断面図である。同図に示すように、媒体供給手段としてのホッパ２９が挿入口１４に連結され、かつ装置本体１３に着脱可能に装着できるようになっている。ホッパ２９を装着することにより通帳１２の連続処理が実行できる。
【００２０】
ホッパ２９は、ホッパケース３１に図示しないモータに連結した繰り出しローラ３２が設けられている。この繰り出しローラ３２の上に通帳載置部３３がある。この通帳載置部３３に繰り出しローラ３２と押さえ板３４とで挟持されて複数枚の通帳１２が積み重ねて収納されている。
【００２１】
また、通帳１２の読み取り、書き換えによる移動に対し、繰り出しローラ３２を通帳１２が移動する上方に通帳載置部３３に形成したことで、繰り出しローラ３２の下方に通帳１２の退避空間部３５が形成される。なお、ホッパ２９は、通帳１２を完全に包囲するものでなくオペレータが触れにくい形状であればよい。
【００２２】
いま、制御部２０からの指令でホッパ２９の繰り出しローラ３２が連結した図示しないモータを挿入口１４方向に回転起動させ、繰り出しローラ３２を図示しないモータにより挿入口１４方向に回転させると、通帳１２の最下層の１枚が繰り出され、通帳１２は搬送ローラ１５ａ，１５ｂにより搬送される。さらに、通帳１２の読み取り、書き換え処理が行われると図示しない通帳排出口から通帳１２が返却される。
【００２３】
また、繰り出しローラ３２の下方に通帳１２の退避空間部３５が形成されたことで、通帳１２がホッパ２９の方に突出したときに通帳載置部３３に載置されている通帳１２に突き当たることがない。したがって、ホッパ２９の搬送方向の長さを小さくすることができる。これにより、媒体処理装置１１は、装置本体１３にホッパ２９を取り付けても通帳１２の搬送方向が短くなるので小型にできる。
【００２４】
また、ホッパ２９を装置本体１３に着脱可能に装着することにより、オペレータが通帳１２に触れた結果、通帳１２の斜行することを防止できる。
【００２５】
また、媒体処理装置１１の大きさを変化することができる。ホッパ２９を使用しないときにはホッパ２９を取り外せば媒体処理装置１１における通帳１２の搬送方向の全長を小型化することができ、かつテーブル上に載置することにより、スペースを有効に利用することができる。
【００２６】
以上説明したように本発明によれば、請求項１と請求項２では、装置が小さくできて空いたスペースが有効に利用できる。請求項３と請求項４では、ホッパ２９を使用するとき設置面積に関係なくスペースを有効に使用できる。また、通帳１２の磁気ストライプ１９に対しリード・ライト中にオペレータが通帳１２に触れことがないので、通帳１２の損傷を防止できる。
【００２７】
以上説明したように、本発明は前記実施の形態に限定されるものではなく、実施の段階ではその趣旨を逸脱しない範囲で種々に変形することが可能であるのは勿論である。
【図面の簡単な説明】
【００２８】
【図１】本発明に係る第１の実施形態を示す媒体処理装置の概略側断面図。
【図２】本発明に係る実施形態を示す媒体処理装置において媒体として使用する通帳を説明する図。
【図３】本発明に係る実施形態を示す媒体処理装置のブロック図。
【図４】本発明に係る第２の実施形態を示す媒体処理装置の概略側断面図。
【符号の説明】
【００２９】
１１…媒体処理装置、１２…通帳（媒体）、１３…装置本体、１４…挿入口、１５ａ、１５ｂ…搬送ローラ（搬送手段）、１６…磁気ストライプリード・ライト部、１９…磁気ストライプ、２０…制御部、２９…ホッパ（媒体供給手段）、３５…退避空間部。
【図１】
2006163594.tif 000003
【図２】
2006163594.tif 000004
【図３】
2006163594.tif 000005
【図４】
2006163594.tif 000006